【手続補正書】
【提出日】平成17年11月25日(2005.11.25)
【手続補正１】
【補正対象書類名】明細書
【補正対象項目名】特許請求の範囲
【補正方法】変更
【補正の内容】
【特許請求の範囲】
【請求項１】  本露光時の本発光前に、本発光用の発光量を導き出すための予備発光を複数回行うように制御する制御工程を有することを特徴とするストロボ制御方法。
【請求項２】  第１回目の予備発光時の発光量は、外光によって制御することを特徴とする請求項１記載のストロボ制御方法。
【請求項３】  本発光時の発光量を正確に導き出せるまで、徐々に予備発光時の発光量を変化させるように制御する第２の制御工程を有することを特徴とする請求項１記載のストロボ制御方法。
【請求項４】  前記第２の制御工程は、前記予備発光の際、被写体輝度が所定レベル以下のときには徐々に予備発光時の発光量を上げ、前記被写体輝度が所定レベルではないときには徐々に予備発光時の発光量を下げるように制御することを特徴とする請求項３記載のストロボ制御方法。
【請求項５】  前記第２の制御工程は、被写体からの反射光量を変化させる工程であることを特徴とする請求項３または４記載のストロボ制御方法。
【請求項６】  前記第２の制御工程は、ストロボの発光時間を制御する工程であることを特徴とする請求項３または４記載のストロボ制御方法。
【請求項７】  本露光時の本発光前に、本発光用の発光量を導き出すための予備発光を複数回行うように制御する制御手段を有することを特徴とするストロボ制御装置。
【請求項８】  第１回目の予備発光時の発光量は、外光によって制御することを特徴とする請求項７記載のストロボ制御装置。
【請求項９】  本発光時の発光量を正確に導き出せるまで、徐々に予備発光時の発光量を変化させるように制御する第２の制御手段を有することを特徴とする請求項８記載のストロボ制御装置。
【請求項１０】  前記第２の制御手段は、前記予備発光の際、被写体輝度が所定レベル以下のときには徐々に予備発光時の発光量を上げ、前記被写体輝度が所定レベルではないときには徐々に予備発光時の発光量を下げるように制御することを特徴とする請求項９記載のストロボ制御装置。
【請求項１１】  前記第２の制御手段は、被写体からの反射光量を変化させる手段であることを特徴とする請求項９または１０記載のストロボ制御装置。
【請求項１２】  前記第２の制御手段は、ストロボの発光時間を制御する手段であることを特徴とする請求項９または１０記載のストロボ制御装置。
【請求項１３】  ストロボの充電電圧を検出する充電電圧検出工程と、予め予備発光と本発光のエネルギー配分を設定するエネルギー配分設定工程とを有することを特徴とするストロボ制御方法。
【請求項１４】  ストロボの充電電圧を検出する充電電圧検出手段と、予め予備発光と本発光のエネルギー配分を設定するエネルギー配分設定手段とを有することを特徴とするストロボ制御装置。
【請求項１５】  ズーム手段を備えたストロボを使用してマクロ撮影を行う際に、前記ストロボの照射角を広角側へシフトするように制御する制御工程を有することを特徴とするストロボ制御方法。
【請求項１６】  ズーム手段を備えたストロボを使用してマクロ撮影を行う際に、前記ストロボの照射角を広角側へシフトするように制御する制御手段を有することを特徴とするストロボ制御装置。
【請求項１７】 請求項１記載のストロボ制御方法をコンピュータによって実行させるための制御プログラムを格納したことを特徴とする記憶媒体。
【請求項１８】 請求項１３記載のストロボ制御方法をコンピュータによって実行させるための制御プログラムを格納したことを特徴とする記憶媒体。
【請求項１９】 請求項１５記載のストロボ制御方法をコンピュータによって実行させるための制御プログラムを格納したことを特徴とする記憶媒体。
【手続補正２】
【補正対象書類名】明細書
【補正対象項目名】０００１
【補正方法】変更
【補正の内容】
【０００１】
【発明の属する技術分野】
本発明は、電子カメラ等に適用されるストロボ制御方法及び装置並びに記憶媒体に関する。
【手続補正３】
【補正対象書類名】明細書
【補正対象項目名】００５２
【補正方法】削除
【補正の内容】
【手続補正４】
【補正対象書類名】明細書
【補正対象項目名】００５３
【補正方法】削除
【補正の内容】
【手続補正５】
【補正対象書類名】明細書
【補正対象項目名】００５４
【補正方法】変更
【補正の内容】
【００５４】
また、上記第１の目的を達成するために請求項１５記載のストロボ制御方法は、ズーム手段を備えたストロボを使用してマクロ撮影を行う際に、前記ストロボの照射角を広角側へシフトするように制御する制御工程を有することを特徴とする。
【手続補正６】
【補正対象書類名】明細書
【補正対象項目名】００５５
【補正方法】変更
【補正の内容】
【００５５】
また、上記第１の目的を達成するために請求項１６記載のストロボ制御装置は、ズーム手段を備えたストロボを使用してマクロ撮影を行う際に、前記ストロボの照射角を広角側へシフトするように制御する制御手段を有することを特徴とする。
【手続補正７】
【補正対象書類名】明細書
【補正対象項目名】００５６
【補正方法】削除
【補正の内容】
【手続補正８】
【補正対象書類名】明細書
【補正対象項目名】００５７
【補正方法】削除
【補正の内容】
【手続補正９】
【補正対象書類名】明細書
【補正対象項目名】００５８
【補正方法】削除
【補正の内容】
【手続補正１０】
【補正対象書類名】明細書
【補正対象項目名】００５９
【補正方法】削除
【補正の内容】
【手続補正１１】
【補正対象書類名】明細書
【補正対象項目名】００６０
【補正方法】変更
【補正の内容】
【００６０】
また、上記第２の目的を達成するために請求項１７記載の記憶媒体は、請求項１記載のストロボ制御方法をコンピュータによって実行させるための制御プログラムを格納したことを特徴とする。
また、上記第２の目的を達成するために請求項１８記載の記憶媒体は、請求項１３記載のストロボ制御方法をコンピュータによって実行させるための制御プログラムを格納したことを特徴とする。
また、上記第２の目的を達成するために請求項１９記載の記憶媒体は、請求項１５記載のストロボ制御方法をコンピュータによって実行させるための制御プログラムを格納したことを特徴とする。
【手続補正１２】
【補正対象書類名】明細書
【補正対象項目名】００６１
【補正方法】削除
【補正の内容】
【手続補正１３】
【補正対象書類名】明細書
【補正対象項目名】００６２
【補正方法】削除
【補正の内容】
【手続補正１４】
【補正対象書類名】明細書
【補正対象項目名】００６３
【補正方法】削除
【補正の内容】
【手続補正１５】
【補正対象書類名】明細書
【補正対象項目名】００６４
【補正方法】削除
【補正の内容】
【手続補正１６】
【補正対象書類名】明細書
【補正対象項目名】００６５
【補正方法】削除
【補正の内容】
【手続補正１７】
【補正対象書類名】明細書
【補正対象項目名】００６６
【補正方法】削除
【補正の内容】
【手続補正１８】
【補正対象書類名】明細書
【補正対象項目名】００６７
【補正方法】削除
【補正の内容】
【手続補正１９】
【補正対象書類名】明細書
【補正対象項目名】００６８
【補正方法】削除
【補正の内容】
【手続補正２０】
【補正対象書類名】明細書
【補正対象項目名】００６９
【補正方法】削除
【補正の内容】
【手続補正２１】
【補正対象書類名】明細書
【補正対象項目名】００７０
【補正方法】削除
【補正の内容】